(57)【要約】      （修正有）【課題】、飾り部材本体の長さ方向の定位置に設けられる飾り部材を備えている装身具を提供する。【解決手段】柔軟性材料によって形成されたチューブ３と、チューブの両端部を除く全長に亘ってチューブ内部に挿入された複数の磁石片４ａ〜４ｅと、チューブの両端部を閉鎖するキャップ８とによって形成された飾り部材本体２と、飾り部材本体に挿通され磁性体の磁気吸引力によって飾り部材本体の長さ方向の定位置に設けられる飾り部材５と、を備え、飾り部材は前記装身具の本体が挿通する部分を磁性材料によって形成された芯体と、芯体の周囲に一体に形成された飾り体とによって形成されている。【選択図】図１
2017055967.tif 000002
【特許請求の範囲】
【請求項１】
柔軟性材料によって形成されたチューブと、前記チューブの両端部を除く全長に亘ってチューブ内部に挿入された複数の磁石片と、前記チューブの両端部を閉鎖するキャップとによって形成された飾り部材本体と、
前記飾り部材本体に挿通され磁性体の磁気吸引力によって前記飾り部材本体の長さ方向の定位置に設けられる飾り部材と、
を備えていることを特徴とする装身具。
【請求項２】
前記飾り部材は前記装身具の本体が挿通する部分を磁性材料によって形成された芯体と、
前記芯体の周囲に一体に形成された飾り体とによって形成されていることを特徴とする請求項１に記載の装身具。
【請求項３】
前記飾り部材は、磁性材料を前記飾り部材本体が挿通するリング形状に形成したものであることを特徴とする請求項１に記載の装身具。
【請求項４】
前記磁石片は、前記チューブの内部で回転可能となっていることを特徴とする請求項１ないし３の何れかに記載の装身具。
【請求項５】
前記チューブは、前記磁石片が
挿入された内側チューブと前記内側チューブを覆う外側チューブとによって形成され、前記キャップは、内側チューブ及び外側チューブのそれぞれの両端部に設けられていることを特徴とする請求項１ないし４の何れかに記載の装身具。
【発明の詳細な説明】
【技術分野】
【０００１】
本発明は装身具に係り、より詳しくは、飾り部材本体の長さ方向の任意の位置に飾り部材を留め置くことが可能な装身具に関する。
【背景技術】
【０００２】
ネックレス等の装身具のペンダントトップ取付部は、その位置を自由に変えることができないという問題がある。また、一般的にペンダントはその装飾体を取り換えることは困難である。
通常ネックレス等の装身具の両端には止め具が設けられている。  装身具の止め具には種々のものがあり、例えば装身具の一端側に出没できるピンを設ける一方、他端側に輪を設け、この輪にピンを通すことにより両者を係止させる構成のもの、あるいは装身具の一端側に開閉できる輪を設け、この輪に装身具の他端側を挿通させて任意の径のリング状にして装着できる構成としたもの等がある。
【０００３】
通常、これらの止め具は装身具の装飾効果に影響しないように小さな構成とされている場合が多い。このような止め具の場合、高齢者や低高視力者、手指感覚が良くない人等については装身具の装着および取外し等の操作に困難を生じることがある。
これに対し、装身具の装着操作が容易に行えるように、止め手段として磁石を用いるものがある。例えば、紐状体の材料に磁石粉末を混入し、射出成形や押出成形によりプラスチックマグネット、あるいはゴム磁石として構成したものが提案されている。
【０００４】
しかし、これらの磁石を用いる止め手段は、磁石材料を含有する量に制約があるため、得られる吸磁力が低く、装身具の止め手段に適用した場合に強力な止着を行うことができず、人力による引張り作用で容易に外れる。したがって、このような外れ易い装身具を例えば老人等が装着している場合、他人が装着者から装身具を引き剥がすという盗難の被害の恐れもあった 。
一方、吸磁力が高い金属磁石を用いた場合には磁石の吸磁力が過度に強くなり、利用者自身が装身具を外しにくくなる等、使用上での不便を生じることがあった。
【先行技術文献】
【特許文献】
【０００５】
【特許文献１】特開２００１−２０４５２２号公報
【発明の概要】
【発明が解決しようとする課題】
【０００６】
本発明の目的とするところは、簡単に装飾体が取り付けられ、スムーズに装飾体の取り付け位置を変えることができ、さらに装飾体そのものを別の装飾体に取り換えることができるほか、簡単に装着及び取り外しが出来る飾り部本体を提供することにある。
【課題を解決するための手段】
【０００７】
本発明は、柔軟性材料によって形成されたチューブと、前記チューブの両端部を除く全長に亘ってチューブ内部に挿入された複数の磁石片と、前記チューブの両端部を閉鎖するキャップとによって形成された飾り部材本体と、
前記飾り部材本体に挿通され前記磁性体の磁気吸引力によって前記飾り部材本体の長さ方向の定位置に設けられる飾り部材と、
を備えていることを特徴とする。
【０００８】
前記飾り部材は前記装身具本体が挿通する部分を磁性材料によって形成された芯体と、
前記芯体の周囲に一体に形成された飾り体とによって形成されていることを特徴とする。
【０００９】
前記飾り部材は、磁性材料を前記飾り部材本体が挿通するリング形状に形成したものであることを特徴とする。
【００１０】
前記磁石片は、前記チューブの内部で回転可能となっていることを特徴とする。
【００１１】
前記チューブは、前記磁石片が
挿入された内側チューブと前記内側チューブを覆う外側チューブとによって形成され、前記キャップは、内側チューブ及び外側チューブのそれぞれの両端部に設けられていることを特徴とする。
【発明の効果】
【００１２】
本発明の装身具によれば、飾り部材本体の長さ方向の任意の位置に飾り部材を留め置くことが可能であるほか、飾り部材本体を任意の別の飾り部材本体に取り換えことが可能である。
また、飾り部本体は、簡単に装着及び取り外しが出来る。
【図面の簡単な説明】
【００１３】
【図１】本発明の概略図で、飾り部材本体に飾り部及びキャップが取り付けられた状態の断面を示す図である。
【図２】本発明の飾り部を示す図である。
【図３】本発明の飾り部の別の例を示す図である。
【図４】本発明の全体像を示す図である。
【発明を実施するための形態】
【００１４】
以下、図面により、本発明について詳細に説明する。
本発明の装身具１は、柔軟性材料によって形成されたチューブ３と、チューブ３の両端部を除く全長に亘ってチューブ内部に挿入された複数の磁石片４と、チューブ３の両端部を閉鎖するキャップ８とによって形成された飾り部材本体２と、飾り部材本体２に挿通され磁性体の磁気吸引力によって飾り部材本体２の長さ方向の定位置に設けられる飾り部材５と、を備えている。
図１は装身具１に飾り部材本体２及びキャップ８が取り付けられた状態の断面を示す図であり、装身具１内の磁石構造を示している。
【００１５】
チューブ３は、磁石片４が挿入された内側チューブ３ａと内側チューブ３ａを覆う外側チューブ３ｂとによって形成され、キャップ８は、内側チューブ３ａ及び外側チューブ３ｂのそれぞれの両端部に設けられている。
飾り部材５は装身具１が挿通する部分を磁性材料６によって形成された芯体９と、芯体９の周囲に一体に形成された飾り体７とによって形成されている。
別の実施例では、飾り部材５は、磁性材料６を飾り部材本体２が挿通するリング形状に形成されている。
磁石片４は、チューブ３の内部で回転可能となっているおり、
チューブ３は、磁石片４が挿入された内側チューブ３ａと内側チューブ３ａを覆う外側チューブ３ｂとによって形成され、キャップ８は、内側チューブ３ａ及び外側チューブ３ｂのそれぞれの両端部に設けられている。
【００１６】
図１に示すように、装身具１内には、一端側キャップ８側から一端側磁石４（４ａ，４ｂ，４ｃ，４ｄ，４ｅ）が直列に配置されている。これらの磁石４（４ａ，４ｂ，４ｃ，４ｄ，４ｅ）は、それぞれ円柱状に構成されており、各磁石４（４ａ，４ｂ，４ｃ，４ｄ．４ｅ）のＮ極（Ｎ）とＳ極（Ｓ）とは、円柱の互いに反対側の外周面に配置されている。そして、各磁石４（４ａ，４ｂ，４ｃ，４ｄ．４ｅ）の互いに隣接するもの同士のＮ極（Ｎ）とＳ極（Ｓ）とが、互い違いの向きに配置されている。具体的には、装身具１の一端側キャップ８側に最も接近した端部側配置の一端側磁石片４ａのＮ極（Ｎ）が下向きとされ、Ｓ極（Ｓ）が上向きとされている。次に、この一端側磁石片４ａに隣接する端部側から２番目に配置された一端側磁石片４ｂのＮ極（Ｎ）は上向きとされ、Ｓ極（Ｓ）は下向きとなっている。また、この一端側磁石片４ｂに隣接する端部側から３番目の一端側磁石片４ｃは、さらに２番目の一端側磁石片４ｂと逆にＮ極（Ｎ）が下向きとされ、Ｓ極（Ｓ）が上向きとされている。さらにまた、この一端側磁石片４ｃに隣接する端部側から４番目に配置された一端側磁石片４ｄは、３番目の一端側磁石片４ｃと逆に、Ｎ極（Ｎ）が上向きとされ、Ｓ極（Ｓ）が下向きとされている。
磁石片４（４ａ，４ｂ，４ｃ，４ｄ，４ｅ）は、チューブの内部で回転可能となっている。
【００１７】
一端側キャップ８は、チューブ３の外径と同一径の円盤形キャップと、装身具１の孔径と同一径で円盤形キャップの平坦面から突出する円柱状の挿入部とから構成されている。そして、この一端側キャップ８の円柱状の挿入部を、装身具１の一端側開口部に挿入することにより、この一端側開口部をキャップ８によって閉塞することができるようになっている。    同様に、他端側キャップ８は、装身具１の外径と同一径の円盤状キャップと、装身具１の孔径と同一径でキャップ８の平坦面から突出する円柱状の挿入部とから構成されている。そして、この他端側キャップ８の円柱状の挿入部を、装身具１の他端側開口部に挿入することにより、この他端側開口部をキャップ８によって閉塞することができる。
【００１８】
磁石片４に使用される永久磁石には、フェライト磁石、サマリウムコバルト磁石    ネオジム磁石がある。
永久磁石の原料には、酸化鉄、コバルト、ニッケルがあり、単体が室温で強磁性を示すのは、これら３つの元素のみである。サマリウム、ネオジムも磁石の原料として挙げられ、これらは単体では強磁性を示さないが、これらを原料とすることで強力な磁石が得られる。
フェライト磁石は、酸化物磁石の一つで、酸化鉄を主原料にして焼き固めて作る。  磁束密度は低いが、保磁力が高く減磁しにくい。  電気抵抗が大きく渦電流損が低く、高周波まで適用できるが、  硬度は比較的に高く割れやすい。
磁器なので薬品に強く、錆びることはない。焼く前は粉末のため自由な形にできる。  酸化鉄にバリウムやストロンチウムを微量加えたものを焼き、１μｍほどの粒子に粉砕したものを成型し焼結する。酸化鉄を主原料としているため安価かつ化学的に安定しており、様々な用途に用いられている。
【００１９】
サマリウムコバルト磁石は、サマリウムとコバルトを原料としている。組成比の異なる「２−１７系」と「１−５系」がある。「１−５系」は高価なサマリウムの比率が高いため、「２−１７系」の登場以降あまり用いられなくなってきた。強い磁力を持ち、高い耐腐食性と良好な温度特性（２００℃程度まで使用可能）を有するのが特徴である。  
ネオジム磁石は、ネオジム、鉄、ホウ素を主成分とする希土類磁石の一つである。磁束密度が高く、強い磁力を持つ。鉄を含み錆びやすいため普通は表面に鍍金を施す。熱減磁が大きく−０．１２％／Ｋ程度。キュリー点は約３１０℃。非常に磁力が強いため、ハードディスクやＣＤプレーヤーの駆動部分、携帯電話の振動モーターから、電車・ハイブリッドカー・エレベーター駆動用の永久磁石同期電動機の界磁にまで使用される。
【００２０】
装身具１の任意の位置の外周部には、図２，３に示すような円筒形の磁性体からなる飾り部材５を設けることが出来る。飾り部材５の内周部は、永久磁石からなるため、同じく永久磁石からなる装身具１の外周部に強力に接合できる。
飾り部材５は装身具１が挿通する部分を磁性材料によって形成された芯体９と、芯体９の周囲に一体に形成された飾り体７とによって形成される。
飾り部材５の他の実施例では、磁性材料６を飾り部材本体２が挿通するリング形状に形成したものとし、これに飾り体７を装着することも出来る。
図２の飾り部材５は、円筒形の芯体９の外周部に装飾を施したものである。
図３の飾り体７は、円筒形の飾り部材本体２の外周部に磁性材料６を装着し飾り体７を吊り下げられるようにしたもので、飾り体７は自由に変更できる。
【００２１】
本発明の飾り部材本体２は、磁性体で出来ているため、飾り部材本体２の端末に止め金具を取り付けないでも、飾り部材本体２の両端部を重ねるだけで飾り部材本体２の磁力により飾り部材本体２の両端部が接合できるため、首への取り付けなどが極めて容易である。
また取り外しも飾り部材本体２の両端部の磁力が取り外し容易なレベルに設定してあるため、少ない力で取り外すことが可能である。
本発明の装身具１によれば、飾り部材本体２の長さ方向の任意の位置に飾り部材５を留め置くことが可能であるほか、飾り体７を任意の別の飾りに取り換えことが可能である。
【符号の説明】
【００２２】
１  装身具
２  飾り部材本体
３  チューブ    
３ａ  内側チューブ
３ｂ  外側チューブ
４、４ａ，４ｂ，４ｃ，４ｄ，４ｅ  磁石片
５  飾り部材
６  磁性材料
７  飾り体
８  キャップ
９  芯体  
【図１】
2017055967.tif 000003
【図２】
2017055967.tif 000004
【図３】
2017055967.tif 000005
【図４】
2017055967.tif 000006